(57)【要約】【課題】表示部に好適な表示をすることができる表示装置を提供すること。【解決手段】表示装置は、第１領域と第２領域とが備えられた表示面と、前記第１領域に第１画像が表示されている場合に前記第１領域における操作者が触れている位置が第１方向に第１距離移動したとき前記第１画像が表示された状態から第２画像が表示された状態に変化するように前記第１領域の表示制御を行い、前記第１領域に前記第１画像が表示されている場合に、前記第２領域における前記操作者が触れている位置が前記第１方向に前記第１距離移動したとき前記第１画像が表示された状態から前記第２画像が表示された状態に変化した後、前記第２画像が表示された状態から第３画像が表示された状態に変化するように前記第１領域の表示制御を行う表示制御部とを有する。【選択図】図１
2017102837.tif 000002
【特許請求の範囲】
【請求項１】
第１領域と第２領域とが備えられた表示面と、
前記第１領域に第１画像が表示されている場合に前記第１領域における操作者が触れている位置が第１方向に第１距離移動したとき前記第１画像が表示された状態から第２画像が表示された状態に変化するように前記第１領域の表示制御を行い、前記第１領域に前記第２画像が表示されている場合に前記第１領域における前記操作者が触れている位置が前記第１方向に前記第１距離移動したとき前記第２画像が表示された状態から第３画像が表示された状態に変化するように前記第１領域の表示制御を行い、前記第１領域に前記第１画像が表示されている場合に、前記第２領域における前記操作者が触れている位置が第１位置から前記第１方向に前記第１距離移動したとき前記第１画像が表示された状態から前記第２画像が表示された状態に変化した後、前記第２画像が表示された状態から前記第３画像が表示された状態に変化するように前記第１領域の表示制御を行い、前記第１領域に前記第１画像が表示されている場合に、前記第２領域における前記操作者が触れている位置が前記第１位置よりも前記第１方向側に離れた第２位置から前記第１方向に前記第１距離移動したとき前記第１画像が表示された状態から前記第２画像が表示された状態に変化した後、前記第２画像が表示された状態から前記第３画像が表示された状態に変化するように前記第１領域の表示制御を行う表示制御部とを有する表示装置。
【請求項２】
請求項１に記載された表示装置であって、
前記表示制御部は、前記第１領域に前記第１画像が表示されている場合に前記第１領域における操作者が触れている位置が前記第１方向に前記第１距離よりも長い第２距離移動したとき前記第１画像が表示された状態から前記第２画像が表示された状態に変化するように前記第１領域の表示制御を行い、
前記第１領域に前記第１画像が表示されている場合に、前記第２領域における前記操作者が触れている位置が前記第１方向に前記第２距離移動したとき前記第１画像が表示された状態から前記第２画像が表示された状態に変化し、前記第２画像が表示された状態から前記第３画像が表示された状態に変化した後、前記第３画像が表示された状態から第４画像が表示された状態に変化するように前記第１領域の表示制御を行う表示装置。
【請求項３】
請求項１または請求項２に記載された表示装置であって、
前記表示制御部は、前記第１領域に前記第１画像が表示されている場合に前記第１領域における前記操作者が触れている位置が前記第１方向に前記第１距離移動した後、前記操作者が触れている位置が前記第２領域になったとき、前記第１画像が表示された状態から前記第２画像が表示された状態に変化するように前記第１領域の表示制御を行い、
前記第１領域に前記第１画像が表示されている場合に、前記第２領域における前記操作者が触れている位置が前記第１方向に前記第１距離移動した後、前記操作者が触れている位置が前記第１領域になったとき、前記第１画像が表示された状態から前記第２画像が表示された状態に変化した後、前記第２画像が表示された状態から前記第３画像が表示された状態に変化するように前記第１領域の表示制御を行う表示装置。
【請求項４】
請求項１から請求項３の何れか１項に記載された表示装置であって、
前記表示制御部は、前記操作者が前記第２領域に触れているとき、前記第１領域に表示させる画像を変化させることを示す情報を前記第２領域に表示するように制御する表示装置。
【請求項５】
請求項１から請求項４の何れか１項に記載された表示装置であって、
前記第１画像、前記第２画像および前記第３画像から選択された少なくとも１つの画像の重要度を判断する判断部を有し、
前記表示制御部は、前記第１領域に前記第１画像が表示された状態で前記第２領域における前記操作者が触れている位置が前記第１方向に前記第１距離移動した場合でも、前記判断部により前記第２画像が重要であると判断されたとき、前記第１画像が表示された状態から前記第２画像が表示された状態に変化した後、前記第２画像が表示された状態から前記第３画像が表示された状態に変化しないように制御する表示装置。
【請求項６】
請求項１から請求項５の何れか１項に記載された表示装置であって、
前記表示制御部は、連写撮影された複数の画像を順番に前記第１領域に表示する制御を行い、前記連写撮影された複数の画像を順番に前記第１領域に表示しているときに前記操作者が前記第１領域および前記第２領域の少なくとも一方に触れた場合、前記連写撮影された複数の画像を順番に前記第１領域に表示する制御を止めるように制御する表示装置。
【請求項７】
請求項６に記載された表示装置であって、
前記表示制御部は、前記連写撮影された複数の画像を順番に前記第１領域に表示する制御と、前記連写撮影された複数の画像を順番に前記第１領域に表示せず、前記連写撮影が終了した後に前記連写撮影された複数の画像のうち最初に撮影された画像を前記第１領域に表示する制御とが可能である表示装置。
【請求項８】
請求項１から請求項７の何れか１項に記載された表示装置であって、
前記表示面と、前記第１領域および前記第２領域の少なくとも一方に前記操作者が触れていることを検出する検出部とを有するタッチパネルを有する表示装置。
【請求項９】
請求項１から請求項７の何れか１項に記載された表示装置と、
前記第１画像および前記第２画像の少なくとも一方を撮像可能な撮像部とを有する撮像装置。
【発明の詳細な説明】
【技術分野】
【０００１】
本発明は、表示装置および撮像装置に関する。
【背景技術】
【０００２】
モニタの画面領域にタッチセンサ１０６が実装されている表示制御装置が知られている（特許文献１参照）。しかしながら、特許文献１には、多数のコマを送る際に好適な操作が記載されていない。
【先行技術文献】
【特許文献】
【０００３】
【特許文献１】特開２０１０−１７６５７５号公報
【発明の概要】
【０００４】
本発明の第１の態様による表示装置は、第１領域と第２領域とが備えられた表示面と、前記第１領域に第１画像が表示されている場合に前記第１領域における操作者が触れている位置が第１方向に第１距離移動したとき前記第１画像が表示された状態から第２画像が表示された状態に変化するように前記第１領域の表示制御を行い、前記第１領域に前記第２画像が表示されている場合に前記第１領域における前記操作者が触れている位置が前記第１方向に前記第１距離移動したとき前記第２画像が表示された状態から第３画像が表示された状態に変化するように前記第１領域の表示制御を行い、前記第１領域に前記第１画像が表示されている場合に、前記第２領域における前記操作者が触れている位置が第１位置から前記第１方向に前記第１距離移動したとき前記第１画像が表示された状態から前記第２画像が表示された状態に変化した後、前記第２画像が表示された状態から前記第３画像が表示された状態に変化するように前記第１領域の表示制御を行い、前記第１領域に前記第１画像が表示されている場合に、前記第２領域における前記操作者が触れている位置が前記第１位置よりも前記第１方向側に離れた第２位置から前記第１方向に前記第１距離移動したとき前記第１画像が表示された状態から前記第２画像が表示された状態に変化した後、前記第２画像が表示された状態から前記第３画像が表示された状態に変化するように前記第１領域の表示制御を行う表示制御部とを有する。
本発明の第２の態様による撮像装置は、第１の態様による表示装置と、前記第１画像および前記第２画像の少なくとも一方を撮像可能な撮像部とを有する。
【図面の簡単な説明】
【０００５】
【図１】カメラの要部構成を説明する図である。
【図２】カメラの背面を例示する図である。
【図３】図３(a)は、表示部に表示された再生画像を例示する図である。図３(b)は、第１操作領域および第２操作領域を説明する図である。図３(c)は、一コマ戻し中の表示画面を例示する図である。図３(d)は、一コマ戻し終了後の表示画面を例示する図である。
【図４】図４は、記録媒体に記録されている画像ファイルの画像を説明する図である。
【図５】図５(a)〜図５(d)は、早送り／早戻しを説明する図である。
【発明を実施するための形態】
【０００６】
＜撮像装置の概要＞
図１は、一実施の形態による表示装置を搭載するカメラ１００の要部構成を説明する図である。図１において、撮像レンズ２０１は交換可能に構成されており、カメラ１００のボディに装着して使用される。
なお、撮像レンズ２０１をカメラ１００のボディ内に組み込んで一体構成にしてもよい。
【０００７】
撮像レンズ２０１は、被写体からの光を撮像素子２０２へ導く。撮像素子２０２は、入射された被写体光を光電変換する。制御部２０３は、例えばＣＰＵによって構成され、カメラ１００の撮像動作を制御する。具体的には、撮像素子２０２に対する光電変換時の駆動制御や、撮像素子２０２から光電変換後の画素信号を読み出す等の制御を行う。
【０００８】
また、制御部２０３は、撮影された画像（画像ファイル）を解析することにより撮影された画像に含まれる顔を検出する顔検出制御を行うことができる。また、制御部２０３は、撮影された画像を解析することにより撮影された画像に含まれる主要被写体を検出する主要被写体検出制御を行うことができる。主要被写体とは、例えば、撮影された画像に含まれる被写体のうち、顔に対応する被写体、最も大きな被写体、撮影画面の中央に最も近い被写体、ピントが合っている被写体等とすることができる。
【０００９】
また、制御部２０３は、撮影された画像を解析することにより撮影された画像の構図を検出する構図検出制御を行うことができる。また、制御部２０３は、画像ファイルの所定のデータ位置に記録されている撮影情報に基づきレタッチなどの加工が施されているか否かを解析し、画像ファイルの所定のデータ位置に記録されているファイルフォーマットに基づきファイルフォーマットの違いを解析するデータ解析制御をすることができる。また、制御部２０３は、記録媒体２０９に対するデータの書き込みや、記録媒体２０９からのデータの読み出し、後述する表示部２０８に対する表示制御も行う。
【００１０】
撮像素子２０２から読み出された画素信号は、画像処理部２０７へ送られる。画像処理部２０７は、画素信号に対して所定の画像処理を施す。画像処理後の画像データは、制御部２０３によってメモリカードなどの記録媒体２０９に画像ファイルとして記録される。
なお、記録媒体２０９に記録するデータは、画像処理部２０７による画像処理後のデータに限らず、画像処理前のいわゆるＲＡＷデータであってもよい。
【００１１】
メモリ２０４は、例えば、制御部２０３によるワークメモリとして用いられる他に、画像処理部２０７による画像処理前や後の画像データなどを一時的に記録するメモリとして用いられる。レリーズボタン２０５は、半押し操作や全押し操作に対応する操作信号を制御部２０３へ送出する。操作部材２０６は、再生ボタンやメニューボタン等の種々の操作部材によって構成される。操作部材２０６は、各操作に対応する操作信号を制御部２０３へ送出する。操作部材２０６には、表示部２０８のパネル面に設けられたタッチ操作部材も含まれる。
【００１２】
表示部２０８は、例えば液晶表示パネルによって構成される。表示部２０８は、画像データに基づいて再生された再生画像を表示したり、操作メニュー画面などを表示したりする。
【００１３】
図２は、カメラ１００の背面を例示する図である。図２において、表示部２０８の周りに、操作部材２０６を構成する再生ボタン２０６ａ、メニューボタン２０６ｂ、拡大ボタン２０６ｃ、実行ボタン２０６ｄ、削除ボタン２０６ｅ、および十字ボタン２０６ｆが設けられている。
なお、図２は操作部材２０６を構成するボタン等の一部を例示したものである。
【００１４】
制御部２０３は、再生ボタン２０６ａが押下操作された場合に、記録媒体２０９に記録されている画像ファイルから表示用の画像データを読み出し、この画像データに基づく再生画像を表示部２０８に表示させる。表示用の画像データとは、主画像データよりもピクセル数が少ない画像データである。表示用の画像データは、例えば、表示部２０８の表示解像度に合わせてピクセル数を減少させたリサイズデータであってもよい。表示用の画像データは、撮影時に主画像データと同時、又は、次の主画像データが生成される前に作成されることが好ましい。画像ファイルに予め格納されている表示用の画像データを用いて表示部２０８に表示するので、表示の際に画像ファイルから読み出した主画像データにリサイズ処理を行った上で表示する場合に比べて、制御部２０３による処理負担を軽減することができ、表示を素早く行うことができる。
【００１５】
制御部２０３は、主画像データよりもピクセル数が少ないリサイズデータを複数生成し、複数のリサイズデータのそれぞれを表示用に用いてもよいし、表示以外の用途に用いてもよい。制御部２０３は、主画像データと、少なくとも１つのリサイズデータとを関連付けて（例えば、1つのファイルにまとめて）記録媒体２０９に記録することが好ましい（以下、主画像データと少なくとも１つのリサイズデータとを関連付けて記録媒体２０９に記録することをマルチピクチャーフォーマットと称する）。
【００１６】
図３(a)は、表示部２０８に表示された再生画像を例示する図である。制御部２０３は、拡大ボタン２０６ｃが押下操作された場合に、表示部２０８に表示中の再生画像の表示倍率を高めた再生画像（拡大画像と呼ぶ）を表示部２０８に表示させる。制御部２０３は、削除ボタン２０６ｅが押下操作された場合に、表示部２０８に表示中の再生画像に対応する画像ファイルを記録媒体２０９から削除する。
【００１７】
制御部２０３は、メニューボタン２０６ｂが押下操作された場合に、不図示の設定メニュー画面を表示部２０８に表示させる。制御部２０３は、実行ボタン２０６ｄが押下操作された場合に、表示部２０８に表示中の設定メニューのうち、選択されている項目に対応する処理を実行する。
【００１８】
制御部２０３は、十字ボタン２０６ｆが押下操作された場合に、操作方向に応じて表示内容を切り替える。例えば、表示部２０８に再生画像を表示している場合において、十字ボタン２０６ｆの操作方向が左であれば、表示部２０８に表示中の再生画像を一コマ前の再生画像に切り替える。具体的には、表示部２０８に表示中の再生画像に対応する画像ファイルの一つ前に記録された画像ファイルから表示用の画像データを読み出し、この画像データに基づく再生画像を表示部２０８に表示させる。
【００１９】
また、制御部２０３は、表示部２０８に再生画像を表示している場合において、十字ボタン２０６ｆの操作方向が右であれば、表示部２０８に表示中の再生画像を一コマ後の再生画像に切り替える。具体的には、表示部２０８に表示中の再生画像に対応する画像ファイルの一つ後に記録された画像ファイルから表示用の画像データを読み出し、この画像データに基づく再生画像を表示部２０８に表示させる。
【００２０】
制御部２０３は、例えば、表示部２０８に設定メニュー画面を表示している場合において、十字ボタン２０６ｆの操作方向が上であれば、設定メニューにおける選択項目を、現選択項目より上に表示されている項目へ切り替える。また、制御部２０３は、表示部２０８に設定メニュー画面を表示している場合において、十字ボタン２０６ｆの操作方向が下であれば、設定メニューにおける選択項目を、現選択項目より下に表示されている項目へ切り替える。
【００２１】
＜撮像＞
上述したカメラ１００は、撮像レンズ２０１によって撮像素子２０２に投射された被写体像を撮像する。レリーズボタン２０５の全押し操作に応じて１コマを撮像する単コマ撮像や、レリーズボタン２０５が全押し操作されている間に複数コマを連続して撮像する連写が可能に構成されている。
なお、所定のフレーム周期で被写体像を撮像する動画撮像を行うように構成してもよい。
【００２２】
＜露出制御＞
制御部２０３は、例えば、被写体の明るさに応じて撮像素子２０２の露光時間（電荷蓄積時間）を調節したり、撮像素子２０２の感度を調節したりするなどして、撮像素子２０２で取得される画像の画素信号レベルを適正レベルにする露出制御を行う。
【００２３】
＜記録＞
制御部２０３は、記録媒体２０９に記録する画像ファイルを生成する。制御部２０３は、撮像素子２０２から読み出した画素信号に基づく画像のデータ（主画像データおよび表示用の画像データ）を画像ファイルに含める。画像ファイルは、記録媒体２０９において設けられたフォルダの中に記録される。本実施の形態では、一つのフォルダに記録する画像ファイルの数に上限が定められており、フォルダ内の画像ファイル数が上限（例えば１００コマ）に達すると、自動的に、または、操作部材２０６からの操作信号に応じて、制御部２０３が新たなフォルダを生成する。そして、制御部２０３は、生成したフォルダに画像ファイルを記録する。
【００２４】
制御部２０３は、連写を行って画像を記録する連写モードの場合、撮像素子２０２から読み出した画素信号に基づく画像のデータを記録媒体２０９に記録する動作を繰り返す。
【００２５】
＜表示部への表示＞
制御部２０３は、上述したように再生ボタン２０６ａが押下操作された場合において、記録媒体２０９に記録されている画像ファイルのうち、例えば直近に記録された画像ファイルから表示用の画像データを読み出す。そして、読み出した画像データに基づく再生画像を表示部２０８に表示させる。
【００２６】
図３(a)において、制御部２０３は、再生画像３１を表示部２０８の画面上部に表示させるとともに、画像情報を表示部２０８の画面下部に表示させる。画像情報には、例えばフォルダ名称３３と、ファイル名称３４と、撮影日時３５と、画像サイズ３６とが含まれる。
画像情報には、上記４種以外の他の項目を含めてもよいし、上記４種の項目についての表示を省略してもよい。
【００２７】
フォルダ名称３３は、再生画像３１に対応する画像ファイルが記録されているフォルダ名を示す。ファイル名称３４は、再生画像３１に対応する画像ファイル名を示す。撮影日時３５は、当該画像ファイルの撮影日時を示す。画像サイズ３６は、対応する主画像データの画像サイズを示す。
制御部２０３はさらに、再生画像３１の右上にコマ番号３２を表示させる。
【００２８】
＜表示部に触れる操作＞
本実施の形態によるカメラ１００では、表示部２０８のパネル面に設けられたタッチ操作部材２０６に対して接触操作を行うことによっても、表示部２０８に表示する再生画像３１の切り替えが可能に構成される。
【００２９】
図４は、記録媒体２０９に記録されている画像ファイルの画像を説明する図である。例えば、コマ１〜コマ７までの７コマの画像ファイルが記録されている。図４において、コマ１の撮像時刻が一番早く、コマ７の撮像時刻が一番遅い。本例の場合、コマ７の画像ファイルが直近に記録された画像ファイルである。
なお、コマ１〜コマ７の画像は、単写画像でもよいし、連写された一連の画像でもよいが、ここでは連写された画像の例を説明する。
【００３０】
（領域の違い）
図３(b)は、第１操作領域２０６Ｕおよび第２操作領域２０６Ｄを説明する図である。本実施の形態では、図３(b)に示すように、表示部２０８のパネル面（タッチ操作部材２０６の操作面）を第１操作領域２０６Ｕと第２操作領域２０６Ｄとに分ける。第１操作領域２０６Ｕは、例えば、再生画像３１の表示範囲に対応し、第２操作領域２０６Ｄは、上述した画像情報（フォルダ名称３３、撮影日時３５、画像サイズ３６）の表示範囲に対応する。
【００３１】
（一コマ送り／一コマ戻し）
制御部２０３は、再生画像３１が表示部２０８に表示された状態（図３(a)）で、第１操作領域２０６Ｕがフリック操作されると、再生画像３１を表示するコマを前後に切り替える。具体的には、表示部２０８のパネル面において図３(b)に例示するように第１操作領域２０６Ｕに触れた指などを右方向に第１の距離ずらすフリック操作がなされた場合、制御部２０３は、再生画像３１を表示するコマを一コマ前に切り替える（一コマ戻し）。一コマ戻しのためのフリック操作の方向は、厳密に右方向でなくてもよく、表示部２０８のパネル面において右斜め上または右斜め下に向かう方向でも構わない。
【００３２】
例えば、フリック操作前に図４のコマ５に対応する再生画像３１が表示されていた場合、コマ５に対応する再生画像３１を画面右端に向けて右方向へスライドさせるとともに、コマ４に対応する再生画像を画面左端から右方向へスライドさせる。図３(c)は、一コマ戻し中の表示部２０８による表示画面を例示する図である。スライド中のコマ５に対応する再生画像３１とコマ４に対応する再生画像３１との間には、コマ４とコマ５との境界を示す疑似的なフレーム枠３７が表示される。図３(d)は、一コマ戻し終了後の表示部２０８による表示画面を例示する図である。コマ４に対応する再生画像３１が表示部２０８に表示される。
【００３３】
制御部２０３は、同様に、表示部２０８のパネル面において第１操作領域２０６Ｕに触れた指などを左方向に第１の距離ずらすフリック操作がなされた場合には、再生画像３１を表示するコマを一コマ後に切り替える（一コマ送り）。一コマ送りのためのフリック操作の方向は、厳密に左方向でなくてもよく、表示部２０８のパネル面において左斜め上または左斜め下に向かう方向でも構わない。
【００３４】
（表示が制限されている場合）
本実施の形態では、フォルダごとに、表示部２０８に表示を許可する／許可しないを設定することが可能に構成される。制御部２０３は、表示を許可するフォルダ（許可しない設定が行われていないフォルダ）に記録されている画像ファイルを、表示部２０８による表示の対象とし、表示を許可しない設定が行われたフォルダに記録されている画像ファイルについては表示部２０８に表示しない。
【００３５】
フォルダに対する表示部２０８に表示を許可する／許可しない設定は、例えば、設定メニュー画面において行われる。本願明細書において、表示が許可されているフォルダを閲覧可能フォルダと呼び、表示が許可されていないフォルダを閲覧制限フォルダと呼ぶことにする。
【００３６】
本実施の形態では、一コマ送り／一コマ戻しにおける閲覧制限フォルダを以下のように取り扱う。すなわち、制御部２０３は、表示を許可しない設定が何も行われていない場合において、閲覧可能フォルダを対象にフォルダ名称の順番で昇順にコマ送りを行うとともに、閲覧可能フォルダを対象にフォルダ名称の順番で降順にコマ戻しを行う。また、フォルダ内の画像ファイルについては、画像ファイルの名称の順番で昇順にコマ送りを行うとともに、画像ファイルの名称の順番で降順にコマ戻しを行う。
【００３７】
そして、制御部２０３は、一コマ送り／一コマ戻しによって現フォルダ内の最終コマ、または現フォルダ内の先頭コマに達した場合において、次のフォルダが閲覧制限フォルダである場合は、その閲覧制限フォルダを跨いで次の閲覧可能フォルダへ進み、その閲覧可能フォルダの先頭コマまたは最終コマの画像ファイルに基づく再生画像を表示する。
【００３８】
（フリック操作中の指の位置）
制御部２０３は、フリック操作中の指の位置が第１操作領域２０６Ｕから外れて第２操作量域２０６Ｄへ入った場合であっても、指などが表示部２０８のパネル面に継続して触れていれば一コマ送り／一コマ戻しを行い、後述する早送り／早戻しバー３８を表示させない。
【００３９】
（早送り／早戻し）
図５(a)〜図５(d)は、早送り／早戻しを説明する図である。制御部２０３は、再生画像３１が表示部２０８に表示された状態（図５(a)）で、第２操作領域２０６Ｄがタッチされると、図５(b)に示すように、第２操作領域２０６Ｄに表示する画像情報（フォルダ名称３３、撮影日時３５、画像サイズ３６）に代えて、早送り／早戻しバー３８を第２操作領域２０６Ｄに表示して、早送り／早戻しモードに切り替わったことを知らせる。
【００４０】
制御部２０３は、表示部２０８のパネル面が指などで継続してタッチされている間は、早送り／早戻しバー３８の表示を維持し、早送り／早戻しモードを継続する。制御部２０３は、指などが表示部２０８のパネル面から離れた場合は、早送り／早戻しバー３８の表示を終了し、早送り／早戻しモードを解除する。制御部２０３は、第２操作領域２０６Ｄの早送り／早戻しバー３８の表示を終了させた場合は、第２操作領域２０６Ｄの表示を画像情報（フォルダ名称３３、撮影日時３５、画像サイズ３６）の表示に戻す。
【００４１】
ユーザーは、早送り／早戻しモードの状態で、早送りしたい方向へ早送り／早戻しバー３８に触れる指などをずらす。本実施の形態では、指などを右方向に第１の距離ずらすスワイプ操作を検出すると、制御部２０３は早送りを行う。例えば、スワイプ操作前に図４のコマ５に対応する再生画像３１が表示されていた場合、制御部２０３は、図５(c)に示すように、コマ５に対応する再生画像３１に代えてコマ６に対応する再生画像３１を表示させる。再生画像３１の表示の切り替えは、一コマ送り／一コマ戻しの場合のように再生画像を左右方向にスライドさせる表示とは異なり、第１操作領域２０６Ｕにおける表示を一度に切り替える。なお、早送りのためのスワイプ操作の方向は、厳密に右方向でなくてもよく、表示部２０８のパネル面において右斜め上または右斜め下に向かう方向でも構わない。
【００４２】
制御部２０３は、スワイプ操作量（すなわち、第２操作領域２０６Ｄにおいて指などで始めにタッチした位置（基準位置）から移動した量）に対応させて、送り量（早送り／早戻しするコマ数）を決定する。すなわち、スワイプ操作量が大きいほど（第２操作領域２０６Ｄに触れた指などをずらす距離が大きいほど）送り量を多くし、スワイプ操作量が小さいほど（第２操作領域２０６Ｄに触れた指などをずらす距離が小さいほど）送り量を少なくする。スワイプ操作前に図４のコマ５に対応する再生画像３１が表示されていた場合において、図５(d)は図５(c)の場合よりスワイプ操作量が大きい。このため、制御部２０３は、コマ５に対応する再生画像３１からコマ６に対応する再生画像に切り替え、さらにコマ６に対応する再生画像３１からコマ７に対応する再生画像３１に切り替えて表示させる。
【００４３】
本実施の形態においては、スワイプ操作量の目安を示すための指標を表示している。図５(b)によれば、早送り／早戻しバー３８の左右方向の長さの１／４ごとに指標３８ｍを設けている。例えば、スワイプ操作量が左右方向の１／４（指標３８ｍひとつ分）である場合に送り量を４コマにすると予め決めておくと、ユーザーにとって、スワイプ操作量を決定しやすくなる。
なお、スワイプ操作量とコマ送り量との関係は一例であって適宜変更してよい。例えば、設定メニュー画面において変更してもよい。
【００４４】
また、制御部２０３は、スワイプ操作の速度（第２操作領域２０６Ｄを移動する指などの速度）が速いほど、第１操作領域２０６Ｕにおける再生画像３１の表示の切り替え速度を速く（１コマ当たりの表示時間を短く）し、スワイプ操作の速度が遅いほど、第１操作領域２０６Ｕにおける再生画像３１の表示の切り替え速度を遅く（１コマ当たりの表示時間を長く）する。
なお、制御部２０３は、第１操作領域２０６Ｕにおける再生画像３１の表示の切り替え速度を速く（１コマ当たりの表示時間を短く）する場合において、早送りする全てのコマについての再生画像３１を表示させる。コマを間引くことなく全コマを表示することにより、ユーザーにとって、コマ間の被写体像の変化を確認しやすくなる。
【００４５】
制御部２０３は、同様に、表示部２０８のパネル面において第２操作領域２０６Ｄに触れた指などを左方向に第１の距離ずらすスワイプ操作を検出した場合には、早戻しを行う。例えば、スワイプ操作前に図４のコマ５に対応する再生画像３１が表示されていた場合、制御部２０３は、コマ５に対応する再生画像３１に代えて、コマ４に対応する再生画像３１を表示させる。制御部２０３はさらに、コマ４に対応する再生画像３１からコマ３に対応する再生画像に切り替える。
なお、スワイプ操作量に対応させてコマ送り量を決定する点や、スワイプ操作の速度によって再生画像３１の表示の切り替え速度を決定する点は、上述した早送りの場合と同様である。また、早戻しのためのスワイプ操作の方向は、厳密に左方向でなくてもよく、表示部２０８のパネル面において左斜め上または左斜め下に向かう方向でも構わない。
【００４６】
例えば、上述した一コマ送り／一コマ戻しにおいて、制御部２０３は、第１操作領域２０６Ｕに触れた指を所定方向に第１の距離ずらす操作をした後に指を第１操作領域２０６Ｕから離す操作をしたときも、第１操作領域２０６Ｕに触れた指を所定方向に第１の距離よりも長い第２の距離ずらす操作をした後に指を第１操作領域２０６Ｕから離す操作をしたときも一コマ送り又は一コマ戻しをするように制御する。
【００４７】
一方で、上述した早送り／早戻しにおいて、制御部２０３は、第２操作領域２０６Ｄに触れた指を所定方向に第１の距離ずらす操作をした後に指を第２操作領域２０６Ｄから離す操作をしたとき、第２操作領域２０６Ｄに触れた指を所定方向に第１の距離よりも長い第２の距離ずらす操作をした後に指を第２操作領域２０６Ｄから離す操作をしたときよりも少ないコマの早送り又は早戻しをするように制御する。
【００４８】
例えば、表示部２０８に図４に示すコマ１が表示された状態で第２操作領域２０６Ｄに触れた指を所定方向に第１の距離ずらす操作をした後に指を第２操作領域２０６Ｄから離す操作をした場合、制御部２０３は表示部２０８に表示させるコマをコマ１からコマ２に変化させた後、コマ２からコマ３に変化させる。一方、表示部２０８に図４に示すコマ１が表示された状態で第２操作領域２０６Ｄに触れた指を所定方向に第１の距離の２倍の距離を有する第２の距離ずらす操作をした後に指を第２操作領域２０６Ｄから離す操作をした場合、制御部２０３は表示部２０８に表示させるコマを２倍の数変化させる。すなわち、制御部２０３は表示部２０８に表示させるコマをコマ１からコマ２に変化させ、コマ２からコマ３に変化させ、コマ３からコマ４に変化させた後、コマ４からコマ５に変化させる。同様に、第２操作領域２０６Ｄに触れた指をずらす距離が３倍になれば、表示部２０８に表示させるコマを３倍の数変化させ、第２操作領域２０６Ｄに触れた指をずらす距離が４倍になれば、表示部２０８に表示させるコマを４倍の数変化させる。
【００４９】
（スワイプ操作中の指の位置）
制御部２０３は、スワイプ操作中の指の位置が第２操作領域２０６Ｄから外れて第１操作量域２０６Ｕへ入っても、指などが表示部２０８のパネル面に継続して触れていれば早送り／早戻しバー３８の表示を維持し、早送り／早戻しモードを継続する。
【００５０】
（スワイプ操作中の操作方向の変化）
制御部２０３は、スワイプ操作の方向（指などの移動方向）がスワイプ操作途中に変更された場合、変更された位置を、新たな基準位置（指などによる接触操作の開始位置）と認識してスワイプ操作量を検出し直す。
【００５１】
（画像ファイルが１つの場合）
制御部２０３は、記録媒体２０９に記録されている画像ファイルが１つのみの場合、第２操作領域２０６Ｄがタッチされても、早送り／早戻しバー３８を第２操作領域２０６Ｄに表示せず、早送り／早戻しモードにも切り替えない。早送り／早戻しするメリットがないからである。
【００５２】
（表示が制限されている場合）
本実施の形態では、早送り／早戻しモードにおける閲覧制限フォルダを以下のように取り扱う。すわなち、制御部２０３は、閲覧可能フォルダについてはフォルダ名称の順番で昇順に早送りを行うとともに、閲覧可能フォルダについてフォルダ名称の順番で降順に早戻しを行う。そして、制御部２０３は、早送りまたは早戻しによって閲覧制限フォルダ内の最終コマまたは先頭コマに基づく再生画像を表示した場合において、次のフォルダが閲覧制限フォルダである場合は、その閲覧制限フォルダを跨ぐことなく早送り／早戻しを一時停止する。
【００５３】
（早送り／早戻しの一時停止）
本実施の形態では、上述したように、スワイプ操作量に対応させて、送り量（早送り／早戻しするコマ数）を決定する。そして、制御部２０３は、決定した送り量に対応するコマ数に達するまで、再生画像を順次切り換えて表示部２０８に表示させる。しかしながら、早送り／早戻しの途中に、例えばプロテクト設定された画像ファイルやレーティングが付された画像ファイルが存在する場合には、早送り／早戻しを一時停止する。具体的には、制御部２０３は、プロテクト設定された画像ファイル、またはレーティングが付された画像ファイルに基づく再生画像を表示部２０８に表示させたところで、一旦早送り／早戻しを停止させる。
【００５４】
なお、レーティングとは、画像の重要度やお気に入り度を示したものである。例えば、制御部２０３は、撮影者により入力された重要度やお気に入り度をそれぞれの画像に関連付けて記録媒体２０９に記録することで画像にレーティングを付すことができる。画像の重要度やお気に入り度は、例えば、星の数、数字（１〜５）等で示すことができ、星の数、数字が多いほど重要であるとすることができる。また、制御部２０３は、重要度やお気に入り度が高い画像に所定のタグ、プロテクト設定等を付すことにより、画像の重要度やお気に入り度を示すこともできる。
【００５５】
ユーザーは、早送り／早戻しの一時停止が行われた場合、スワイプ操作を中止して指などを表示部２０８のパネル面から一旦離す。そして、早送り／早戻しを再開させたい場合は、再度第２操作領域２０６Ｄにおいて早送り／早戻ししたい方向へ指などをずらすスワイプ操作を行う。
【００５６】
制御部２０３は、再度のスワイプ操作のスワイプ操作量に対応させて、送り量（早送り／早戻しするコマ数）を決定し、決定した送り量に対応するコマ数に達するまで、再生画像を順次切り換えて表示部２０８に表示させる。制御部２０３は、さらにプロテクト設定された画像ファイル、またはレーティングが付された画像ファイルが存在する場合は、当該画像ファイルに基づく再生画像を表示部２０８に表示させたところで、再び早送り／早戻しを停止させる。以降の処理は、上述した場合と同様である。
【００５７】
なお、レーティングが付されている場合において、星３つ以上の画像ファイルが存在する場合に早送り／早戻しを一時停止したり、星５つの画像ファイルが存在する場合に早送り／早戻しを一時停止したりするなど、一時停止の条件を星の数に応じて決定してもよい。
また、レーティングの他に、所定のタグを付した画像ファイルが存在する場合にも、早送り／早戻しを一時停止するように構成してもよい。
【００５８】
（一時停止の他の例）
制御部２０３は、一時停止する条件を以下のように設定することもできる。
１．早送り／早戻し中の一連の画像ファイルの撮影日と異なる撮影日に撮像された画像ファイルに基づく再生画像を表示部２０８に表示したとき。
２．早送り／早戻し中の一連の画像ファイルの撮影時間帯（例えば午前中）と異なる時間帯（例えば午後）に撮像された画像ファイルに基づく再生画像を表示部２０８に表示したとき。
３．早送り／早戻し中の一連の画像ファイルの画像に含まれる主要被写体とは異なる主要被写体が含まれる画像の再生画像を表示部２０８に表示したとき。
４．早送り／早戻し中の一連の画像ファイルの画像の構図とは異なる構図の画像の再生画像を表示部２０８に表示したとき。
５．早送り／早戻し中に、顔が写っている画像の再生画像を表示部２０８に表示したとき。
６．早送り／早戻し中の一連の画像ファイルの画像に含まれる顔とは異なる顔が含まれる画像の再生画像を表示部２０８に表示したとき。
７．早送り／早戻し中に、レタッチなどの加工を行った画像の再生画像を表示部２０８に表示したとき。
８．早送り／早戻し中の一連の画像ファイルのファイルフォーマットとは異なるファイルフォーマットの画像の再生画像を表示部２０８に表示したとき。異なるファイルフォーマットとは、例えば、静止画と動画との違い、RAW、TIFF、jpeg等のファイルの拡張子の違いであってもよい。
【００５９】
例えば、制御部２０３は、上記１．および２．については、画像ファイルの所定のデータ位置に記録されている撮影情報に基づき検知することができる。また、上記３．上記４．上記５．上記６．および上記７．については、上述した制御部２０３による顔検出制御、主要被写体検出制御、構図検出制御、データ解析制御を行うことにより検知することができる。
なお、早送り／早戻し中において一時停止する条件の設定は、例えば、設定メニュー画面において行われる。
【００６０】
ユーザーは、早送り／早戻しの一時停止が行われた場合において、スワイプ操作を中止して指などを表示部２０８のパネル面から一旦離した後、第１操作領域２０６Ｕにおいてフリック操作をしてもよい。この場合には、制御部２０３は、一時停止した再生画像に対応するコマを起点に一コマ送り／一コマ戻しを行う。
【００６１】
＜撮像直後の確認＞
撮影直後の画像確認が有効に設定されている場合において、２コマ以上の連続した撮像を行った後にレリーズボタン２０５の半押し操作が解除されると、制御部２０３は、レリーズボタン２０５の全押し操作継続中に行われた一連の撮像で取得された複数コマの画像ファイルに基づき、これら複数コマの画像ファイルに対応する再生画像３１を所定の時間間隔（例えば０．５秒）で順送りして表示部２０８に表示させる。
【００６２】
表示部２０８における表示態様は、図３(a)の場合と同様である。制御部２０３は、レリーズボタン２０５の半押し操作中に行われた一連の複数コマの画像のうちの先頭コマから最終コマまで、それぞれの表示用の画像データに基づく再生画像３１を表示部２０８に表示させる。これにより、ユーザーは、表示部２０８に表示される一連の複数コマの再生画像を撮影順に確認することができる。
【００６３】
制御部２０３は、順送りによって一連の複数コマのうちの最終コマの画像ファイルに到達した場合は、最終コマの画像ファイルによる再生画像３１を表示部２０８に表示させたままで、撮影直後の画像確認のための順送りを終了させる。
なお、撮影直後の画像確認の有効／無効の設定は、例えば、設定メニュー画面において行われる。
【００６４】
（撮影直後の確認における一時停止）
制御部２０３は、一連の撮像で得られた複数コマの画像ファイルに対応する再生画像３１を順送りしながら表示部２０８に表示させている状態で、表示部２０８のパネル面（タッチ操作部材２０６の操作面）がタッチされると、その時点で表示中のコマの再生画像３１を表示させたたまで、再生画像３１の順送りを一時停止させる。これにより、ユーザーは、一連の画像のうちの任意のコマの再生画像３１の確認を続けることができる。
【００６５】
制御部２０３は、一時停止中に上述した第１操作領域２０６Ｕにおいてフリック操作がなされた場合は、一時停止した再生画像に対応するコマを起点に、フリック操作の方向に応じて一コマ送り／一コマ戻しを行う。
【００６６】
また、制御部２０３は、一時停止中に上述した第２操作領域２０６Ｄにおいてスワイプ操作がなされた場合は、一時停止した再生画像に対応するコマを起点に、スワイプ操作の方向、操作量に応じて早送り／早戻しを行う。
【００６７】
なお、制御部２０３は、表示部２０８のパネル面（タッチ操作部材２０６の操作面）がタッチでなく、例えば十字ボタン２０６ｆが操作された場合にも、撮影直後の確認における一時停止を行うようにしてもよい。すなわち、制御部２０３は、一連の撮像で得られた複数コマの画像ファイルに対応する再生画像３１を順送りしながら表示部２０８に表示させている状態で、十字ボタン２０６ｆが操作されると、その時点で表示中のコマの再生画像３１を表示させたたまで、再生画像３１の順送りを一時停止させる。
【００６８】
撮影直後の画像確認が無効に設定されている場合、制御部２０３は、レリーズボタン２０５の全押し操作中に行われた一連の複数コマの画像のうちの先頭コマの表示用の画像データに基づく再生画像３１を表示部２０８に表示させる。これにより、ユーザーは、先頭コマまでコマを戻す操作を行うことなしに、上述した一コマ送り操作を行うことによって、表示部２０８に表示される一連の複数コマの再生画像を確認することができる。
例えば、１回目の全押しによる連写を行った後、半押し解除を行い、その後、２回目の全押しによる連写を行った後に再生ボタンを操作した場合は、２回目の全押しによる連写で得られた一連の複数コマの画像のうちの先頭コマの表示用の画像データに基づく再生画像３１が表示部２０８に表示されることになる。
【００６９】
なお、撮影直後の画像確認が無効に設定されている場合において、レリーズボタン２０５の全押し操作中に行われた一連の複数コマの画像のうちの先頭コマの表示用の画像データに基づく再生画像３１を表示部２０８に表示させるか、あるいは、レリーズボタン２０５の半押し操作中に行われた一連の複数コマの画像のうちの最終コマの表示用の画像データに基づく再生画像３１を表示部２０８に表示させるかの設定を、例えば、設定メニュー画面において切り替え可能に構成してもよい。
【００７０】
上述した実施の形態によれば、次の作用効果が得られる。
（１）表示装置を搭載するカメラ１００は、画像３１を表示する第１操作領域２０６Ｕと表示中の画像３１に関する情報（ファイル名称３４、撮影日時３５等）を表示する第２操作領域２０６Ｄとを有する表示部２０８と、表示部２０８に表示される画像３１のコマ送り（コマ戻しを含む）または早送り（早戻しを含む）を行う制御部２０３と、表示部２０８の表示面に対する接触操作を検知するタッチ操作部材２０６と、タッチ操作部材２０６によって検知された接触操作の開始位置が第１操作領域２０６Ｕの中にある場合に制御部２０３へコマ送りを指示するとともに、タッチ操作部材２０６によって検知された接触操作の開始位置が第２操作領域２０６Ｄの中にある場合に制御部２０３へ早送りを指示する制御部２０３とを備える。表示部２０８の表示面に対する接触操作の開始位置によって画像３１のコマ送り（コマ戻しを含む）または早送り（早戻しを含む）を行うようにしたので、多数のコマを送るために何度も接触操作を繰り返さなくてすみ、使い勝手をよくすることができる。
【００７１】
（２）カメラ１００の制御部２０３は、タッチ操作部材２０６によって接触操作の終了が検知されるまで早送り（早戻し）の指示を継続するようにした。これにより、ユーザーの意思を反映した早送り（早戻し）を実現することができる。
【００７２】
（３）カメラ１００の制御部２０３は、タッチ操作部材２０６によって検知される接触操作の位置が第２操作領域２０６Ｄから第１操作領域２０６Ｕへ移動しても早送り（早戻し）の指示を継続するようにした。これにより、ユーザーの意思を反映した早送り（早戻し）を実現することができる。
【００７３】
（４）カメラ１００の制御部２０３は、早送り（早戻し）が指示されている場合、表示部２０８に表示される画像３１のコマ数を、接触操作の開始位置から現在の接触位量までの変位量に基づいて決定するようにした。ユーザーは、例えばＸコマ分早送りする場合に指標３８ｍのＹ目盛だけ指を移動させればよいので、ユーザーの意思を反映した早送り（早戻し）を実現することができる。
【００７４】
（５）カメラ１００の制御部２０３は、早送り（早戻し）が指示されている場合、表示部２０８の第２操作領域２０６Ｄに早送り（早戻し）を示す早送り／早戻しバー３８を表示させるようにした。これにより、ユーザーに対して早送り（早戻し）モードであることを視覚的に知らせることができる。
【００７５】
（６）表示装置を搭載するカメラ１００は、少なくとも画像３１を表示する表示部２０８と、表示部２０８に表示される画像３１の早送り（早戻しを含む）を行う制御部２０３と、早送り（早戻し）中に表示部２０８で所定の情報を有する画像３１が表示された場合に制御部２０３に早送り（早戻し）を停止させる制御部２０３とを備える。これにより、ユーザーが興味を持つ画像を早送り（早戻し）によって通り過ぎてしまうことを防止できる。
【００７６】
（７）カメラ１００の制御部２０３は、所定の情報としてプロテクト設定情報が付された画像３１が表示された場合に早送り（早戻し）を停止させるようにした。これにより、ユーザーが大切にする画像を早送り（早戻し）によって通り過ぎてしまうことを防止できる。
【００７７】
（８）カメラ１００の制御部２０３は、所定の情報としてレーティングが付された画像３１が表示された場合に早送り（早戻し）を停止させるようにした。これにより、ユーザーのお気に入り画像を早送り（早戻し）によって通り過ぎてしまうことを防止できる。
【００７８】
（９）カメラ１００の制御部２０３は、レーティングの星の数が所定の閾値を超えた場合に早送り（早戻し）を停止させ、レーティングの星の数が閾値を超えない場合は早送り（早戻し）を継続させるようにした。これにより、ユーザーのお気に入りの程度によって、早送り（早戻し）を止める／止めないの基準を変更することができる。
【００７９】
（１０）カメラ１００は、早送り（早戻し）される画像３１に対する被写体認識処理を行って被写体の情報を検出する制御部２０３を備え、制御部２０３は、検出された被写体の情報（例えば、主要被写体、顔、構図等）が変化した画像３１が表示された場合に早送り（早戻し）を停止させるようにした。これにより、撮影対象等が変わるところで、一旦早送り（早戻し）を止めることができる。
【００８０】
（１１）カメラ１００の制御部２０３は、撮影日または撮影時刻が変化した（異なる）画像３１が表示された場合に画像３１の早送り（早送り）を停止させるようにした。これにより、撮影対象等が変わるところで、一旦早送り（早戻し）を止めることができる。
【００８１】
（１２）カメラ１００は、被写体像を撮像する撮像素子２０２と、撮像素子２０２によって撮像された画像３１を表示する表示部２０８と、表示部２０８に表示される画像３１の自動送りを行う制御部２０３と、表示部２０８の表示面に対する接触操作を検知するタッチ操作部材２０６と、撮像素子２０２による複数コマの撮像の終了を検知すると、制御部２０３へ複数コマの画像３１に対する自動送りを指示する制御部２０３と、自動送り中にタッチ操作部材２０６によって接触操作が検知された場合に制御部２０３に自動送りを停止させる制御部２０３とを備える。これにより、ユーザーは、一連の画像のうちの任意のコマの画像３１の確認を続けることができる。
【００８２】
（１３）カメラ１００は、被写体像を撮像する撮像素子２０２と、撮像素子２０２によって撮像された画像３１を表示する表示部２０８と、撮像素子２０２による複数コマの撮像の終了を検知すると、複数コマのうちの先頭の画像３１を表示部２０８へ表示させる制御部２０３とを備える。これにより、ユーザーは、先頭コマまでコマを戻す操作を行うことなしに、上述した一コマ送り操作を行うことによって、一連の複数コマの画像を確認することができる。
【００８３】
（１４）カメラ１００の制御部２０３は、複数コマの撮像を連続して行う連写が行われている間は表示部２０８へ画像３１を表示させず、連写の終了が検知されると連写された複数コマのうちの先頭の画像３１を表示部２０８へ表示させる。これにより、ユーザーは、先頭コマまでコマを戻す操作を行うことなしに、上述した一コマ送り操作を行うことによって、連写で得られた複数コマの画像を確認することができる。
【００８４】
次のような変形も本発明の範囲内であり、変形例の一つ、もしくは複数を上述の実施形態と組み合わせることも可能である。
（変形例１）
カメラ１００に姿勢検出センサを備え、カメラ１００が横位置に保持されているか、縦位置に保持されているかを検知し、検知結果を用いて表示部２０８における早送り／早戻しバー３８の表示位置を決定してもよい。例えば、表示部２０８における４つの辺のうち重力方向に位置する辺に沿って早送り／早戻しバー３８を表示させる。
また、カメラ１００の姿勢にかかわらず、早送り／早戻しバー３８の表示位置を固定しておいてもよい。
【００８５】
（変形例２）
早送り／早戻しモードにおいて、表示部２０８に表示中のコマ以外にも前後所定数のコマの表示用の画像データを記録媒体２０９から先読みしてメモリ２０４に格納しておき、メモリ２０４に格納した画像データを用いて再生画像を表示部２０８に表示させるように構成してもよい。
【００８６】
カメラ１００内のメモリ２０４に格納しておいた先読み画像データを用いて再生画像の表示を行うことにより、記録媒体２０９からその都度画像データを読み出して再生画像の表示を行う場合に比べて、早送り／早戻しモードにおける再生画像の表示の切り替えを早く行うことができる。
【００８７】
（変形例３）
上述した説明では、右方向へのスワイプ操作を検出した場合に早送りを行い、左方向へのスワイプ操作を検出した場合に早戻しを行う例を説明したが、スワイプ方向と早送り／早戻しの関係を反対向きにしてもよい。
また、スワイプ方向と早送り／早戻しの関係をメニュー設定で選べるように構成してもよい。
【００８８】
（変形例４）
タッチ操作部材２０６として、タッチ位置に加えてタッチ圧力の大きさを示す信号を出力するものを採用してもよい。変形例４において、制御部２０３は、スワイプ操作による圧力の大きさに対応させて、送り量（早送り／早戻しするコマ数）を決定する。すなわち、検出圧力が大きいほど送り量を多くし、検出圧力が小さいほど送り量を少なくする。
上述したタッチ圧力の大小を検出する場合、タッチしている指の面積の大小に基づいて検出するようにしてもよい。
【００８９】
（変形例５）
以上の説明では、表示部２０８の中に再生画像３１と早送り／早戻しバー３８とを表示させるようにした。この代わりに、表示部２０８と別に設けられた表示部に早送り／早戻しバー３８を表示させてもよい。
なお、表示部２０８と別の表示部は、表示部２０８の近傍に設けられていることが好ましい。
【００９０】
（変形例６）
カメラ１００を例に説明したが、スマートフォンやタブレットパソコン等の電子機器にも適用することができる。
【００９１】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００９２】
３１…再生画像、３２…コマ番号、３３…フォルダ名称、３４…ファイル名称、３５…撮影日時、３８…早送り／早戻しバー、１００…カメラ、２０１…撮像レンズ、２０２…撮像素子、２０３…制御部、２０４…メモリ、２０５…レリーズボタン、２０６…操作部材、２０６Ｕ…第１操作領域、２０６Ｄ…第２操作領域、２０７…画像処理部、２０８…表示部、２０９…記録媒体
【図１】
2017102837.tif 000003
【図２】
2017102837.tif 000004
【図３】
2017102837.tif 000005
【図４】
2017102837.tif 000006
【図５】
2017102837.tif 000007